(57)【要約】  ジューサー用搾汁モジュールが開示される。本発明によるジューサー用搾汁モジュールは、上面は開放され、下段に汁排出口と滓排出口が形成される搾汁ドラムと、前記搾汁ドラムの内部に回転可能に取り付けられ、外面にスクリュー螺旋が形成される搾汁スクリューと、前記搾汁ドラム内に設けられ、前記搾汁スクリューを囲むように配置される網ドラムと、前記搾汁ドラムの上面を覆うように取り付けられ、一部が上部に突出延長する投入管体を有する蓋と、を含んでなり、前記投入管体の側面に材料が投入される投入口が形成されたことを特徴とする。このような本発明によれば、投入口を側面に形成することにより、搾汁ドラムの内部に手(hand)が深く入ることを防止し、安全事故を予防できながらも、投入口の断面積を大きくできるため、材料を細かく切って入れなければならない不便さが除去される。
2017522096.tif 000002
【特許請求の範囲】
【請求項１】
上面は開放されて下端に汁排出口と滓排出口が形成される搾汁ドラムと、
前記搾汁ドラムの内部に回転可能に取り付けられ、外面にスクリュー螺旋が形成される搾汁スクリューと、
前記搾汁ドラム内に設けられ、前記搾汁スクリューを囲むように配置される網ドラムと、
前記搾汁ドラムの上面を覆うように取り付けられ、一部が上部に突出延長される投入管体を有する蓋と、を含んでなり、
前記投入管体の側面に材料が投入される投入口が形成されたことを特徴とするジューサー用搾汁モジュール。
【請求項２】
前記投入管体の側面には前記投入口の周囲を支持するホッパーが形成され、
前記ホッパーは、前記投入口の上部から側方に所定の長さで突出した上部外壁と、前記投入口の下部から水平方向に前記上部外壁より長く形成される床面を含むことを特徴とする請求項１に記載のジューサー用搾汁モジュール。
【請求項３】
前記ホッパーの床面は、前記投入口へ向かって下向傾斜して形成されることを特徴とする請求項２に記載のジューサー用搾汁モジュール。
【請求項４】
前記投入口の上下幅は４５ｍｍ以下であり、前記投入口の横幅は６０〜１００ｍｍであり、前記投入管体の短縮内径は４０ｍｍ以下であることを特徴とする請求項２に記載のジューサー用搾汁モジュール。
【請求項５】
前記蓋は、
前記搾汁ドラムの上面を覆うように取り付けられるベースと、前記ベースの一側で上部に突出延長される前記投入管体を含んでなり、
前記ベースの床面から前記投入口の下端までの距離は１００ｍｍ以上であり、前記上部外壁の突出の長さは２０〜４０ｍｍであることを特徴とする請求項２に記載のジューサー用搾汁モジュール。
【請求項６】
前記投入管体の上部には挿入口が備えられ、前記挿入口を介して挿入されて昇降しながら材料を押す押し棒をさらに含むことを特徴とする請求項１に記載のジューサー用搾汁モジュール。
【請求項７】
前記投入管体の内側面にはガイド突起が形成されることを特徴とする請求項６に記載のジューサー用搾汁モジュール。
【請求項８】
上部、下部は開口され、一側に少なくとも一部分が縦方向に切開される側面開口部が形成され、前記側面開口部の一側には前記投入管体の外周面に脱着可能に結合される挟持具が形成された装着部材をさらに含んでなり、
前記押し棒は前記装着部材により離脱が阻止され、前記投入管体の内部を昇降しながら投入された材料を押すことを特徴とする請求項６に記載のジューサー用搾汁モジュール。
【請求項９】
前記押し棒と装着部材の分離を防止する脱去防止手段をさらに含むことを特徴とする請求項８に記載のジューサー用搾汁モジュール。
【請求項１０】
前記脱去防止手段は、
前記装着部材の上部に形成され、前記投入管体の外周面に脱着可能に結合され、上端の内周面には環突起が形成された結合具と、前記押し棒の外周面に形成され、前記環突起にかかる段差と、を含むことを特徴とする請求項９に記載のジューサー用搾汁モジュール。
【請求項１１】
前記搾汁ドラムは、
前記搾汁スクリューに駆動力を提供する駆動力発生手段と前記駆動力発生手段に連結される駆動軸が形成された駆動本体に取り付けられ、
前記装着部材が結合された前記搾汁ドラムが前記駆動本体に装着される場合、前記駆動力発生手段が駆動可能状態となるようにする結合感知手段を含むことを特徴とする請求項８に記載のジューサー用搾汁モジュール。
【請求項１２】
前記結合感知手段は、
前記装着部材の一側に形成され、信号を発生する信号発生手段と、
前記駆動本体に形成されて前記信号を感知する感知センサーと、を含むことを特徴とする請求項１１に記載のジューサー用搾汁モジュール。
【請求項１３】
前記結合感知手段は、
前記装着部材の一側に形成された突起と、
前記駆動本体に形成されて前記突起により作動されるマイクロスイッチと、を含むことを特徴とする請求項１１に記載のジューサー用搾汁モジュール。
【請求項１４】
前記押し棒の一側には投入される材料を切断するカッターが形成されたことを特徴とする請求項６に記載のジューサー用搾汁モジュール。
【請求項１５】
内部空間を有し、下部の一側には汁排出口が形成され、上部の一側には前記内部空間と連通される投入管体が形成され、一側面には滓排出口が形成された搾汁ドラムと、前記搾汁ドラムの内部に回転可能に取り付けられ、外面にはスクリュー螺旋が形成されて回転する搾汁スクリューと、前記搾汁ドラム内部に設けられ、前記搾汁スクリューを囲むように配置される網ドラムと、を含むジューサー用搾汁モジュールにおいて、
前記投入管体の側面には材料が投入される投入口と、前記投入口の周囲を支持するホッパーが形成され、
前記ホッパーは前記投入口の上部から側方向から所定の長さで突出した上部外壁と、前記投入口の下部から水平方向に前記上部外壁より長く形成される床面を含むことを特徴とするジューサー用搾汁モジュール。
【発明の詳細な説明】
【技術分野】
【０００１】
本発明はジューサー用搾汁モジュールに関し、詳細には回転するスクリューによって野菜や果物を搾ってジュースを作るジューサーの駆動本体に着脱可能に結合されるジューサー用搾汁モジュールに関する。
【背景技術】
【０００２】
最近、健康に関する関心が高まるにつれ、家庭で直接野菜や果物、穀物などを購入して汁を作って飲む傾向が増加しており、家庭用ジューサーの開発も持続して行われている。
【０００３】
ジューサーは回転するスクリューと網ドラムとの間で野菜または果物を圧搾してジュースまたは汁を作る。通常のジューサーは駆動モーターが内蔵された駆動本体と、スクリューと網ドラムが内部に配置され、上部には材料投入口が形成された搾汁モジュールが結合して構成される。これと関連する先行技術として、大韓民国登録特許第１０-１２８２３１５号にはスクリューが水平方向に組立てられる水平方向の組立型の搾汁器が開示されており、大韓民国登録特許第１０-０７５５４４０号にはスクリューが垂直方向に組立てられる垂直方向の組立型の搾汁ジューサーが開示されている。
【０００４】
前記先行技術のうち大韓民国登録特許第１０-０７５５４４０号を調べると、図１に示すように、投入口１１１ａが形成され、内部の中央に回転軸孔１１２ａが形成される蓋１１０ａと、蓋１１０ａの下部に設けられ、床には網ドラムガイド突起１２１ａが形成され、外部の下段部には滓排出口１２２ａと汁排出口１２３ａが形成される搾汁ドラム１２０ａと、上部には回転軸孔１１２ａに回転可能に挿入される上部回転軸１３１ａが形成され、外面にはスクリュー螺旋１３２ａが形成され、下部の中心には下部回転軸１３４ａが形成される搾汁スクリュー１３０ａと、搾汁ドラム１２０ａ内に設けられ、外壁は網構造物１４１ａからなり、内面には多数の壁面刃１４２ａが形成された網ドラム１４０ａと、内部には駆動モーター（図示せず）が備えられ、搾汁スクリュー１３０ａの下部回転軸１３４ａと連結され、搾汁スクリュー１３０ａを回転駆動させる駆動本体１６０ａを含むジューサーが開示されている。
【０００５】
一方、従来技術は図２に示すように、材料を投入する投入口１１１ａが蓋１１０ａの上端に形成され、材料を上部から下部に直線方向に入れるようになる。
【０００６】
この時、従来技術は使用者の手（ｈａｎｄ）（特に、子供の手）が投入口１１１ａに深く入るため、回転中の搾汁スクリュー１３０ａに巻き込まれて怪我をする恐れがあった。したがって、従来技術は投入口１１１ａの断面積を大きくできない設計上の制限があった。また、投入口１１１ａの断面積が小さいため、搾汁材料を小さく切って入れなければならない不便さがあった。
【０００７】
また、従来技術は、投入口１１１ａに材料を押し込むための専用押し棒（図示せず）を提供するが、使用者が前記押し棒以外の道具（例えば、箸など）を利用して投入口に材料を押し込む場合がある。このように挿入された物体は回転するスクリューと接触し、使用者の負傷は勿論機器の破損または故障が発生する問題点があった。
【発明の概要】
【発明が解決しようとする課題】
【０００８】
本発明の目的は、手（ｈａｎｄ）が投入口を介して深く入ることを防止するジューサー用搾汁モジュールを提供することにある。本発明の他の目的は、上記のように手（ｈａｎｄ）が深く入らないようにしながらも投入口の断面積を大きく形成することができ、搾汁材料を小さく切らなければならない不便さを解消したジューサー用搾汁モジュールを提供することにある。
【０００９】
本発明の他の目的は、専用押し棒を使用し、故障、破損などの事故発生を防止できるジューサー用搾汁モジュールを提供することにある。
【００１０】
本発明の他の目的は、材料投入がさらに簡便なジューサー用搾汁モジュールを提供することにある。
【課題を解決するための手段】
【００１１】
上記目的を達成するために本発明が採択する技術構成は次の通りである。
【００１２】
本発明によるジューサー用搾汁モジュールは、上面は開放され、下端に汁排出口と滓排出口が形成される搾汁ドラムと、搾汁ドラムの内部に回転可能に取り付けられ、外面にスクリュー螺旋が形成される搾汁スクリューと、搾汁ドラム内に設けられ、搾汁スクリューを囲むように配置される網ドラムと、搾汁ドラムの上面を覆うように取り付けられ、一部が上部に突出延長される投入管体を有する蓋と、を含んでなり、投入管体の側面に材料が投入される投入口が形成なされたことを特徴とする。
【００１３】
好ましい一実施形態として、本発明は投入管体の側面には投入口の周囲を支持するホッパーが形成され、ホッパーは投入口の上部から側方向に所定の長さで突出した上部外壁と、投入口の下部から水平方向に上部外壁より長く形成される床面を含む。
【００１４】
他の実施形態として、ホッパーの床面は、投入口へ向かって下向傾斜して形成される。
【００１５】
好ましくは投入口の上下幅は４５ｍｍ以下であり、投入口の横幅は６０〜１００ｍｍであり、投入管体の短縮内径は４０ｍｍ以下で構成されれば良い。
【００１６】
好ましくは蓋は、搾汁ドラムの上面を覆うように取り付けられるベースと、ベースの一側で上部に突出延長される投入管体を含んでなり、ベースの床面から投入口下端までの距離は１００ｍｍ以上であり、上部外壁の突出の長さは２０〜４０ｍｍに構成されれば良い。
【００１７】
本発明は投入管体の上部には挿入口が備えられ、挿入口を介して挿入されて昇降しながら材料を押す押し棒をさらに含んでなることができる。
【００１８】
好ましくは、本発明はガイド突起が投入管体の内側面に形成され、使用者の手が深く入ることを防止する。
【００１９】
他の実施形態として、本発明は上部、下部は開口され、一側が縦方向に切開され、側面開口部が形成され、側面開口部の一側には投入管体の外周面に脱着可能に結合される挟持具が形成された装着部材をさらに含んでなり、押し棒は装着部材により離脱が防止され、投入管体の内部を昇降しながら投入された材料を押すように構成される。
【００２０】
他の実施形態として、本発明は押し棒と装着部材の分離を防止する脱去防止手段をさらに含んでなる。
【００２１】
このような脱去防止手段は、装着部材の上部に形成され、上端の内周面には環突起が形成された結合具と、押し棒の外周面に形成されて環突起にかかる段差と、を含んでなれば良い。
【００２２】
他の実施形態として、本発明は、搾汁ドラムが搾汁スクリューに駆動力を提供する駆動力発生手段と駆動力発生手段に連結される駆動軸が形成された駆動本体に取り付けられ、装着部材が結合された搾汁ドラムが駆動本体に取り付けられる場合、駆動力発生手段が駆動可能にする結合感知手段を含む。
【００２３】
このような結合感知手段は、例えば装着部材の一側に形成され、信号を発生する信号発生手段と、駆動本体に形成されて信号を感知する感知センサーで構成されることが好ましい。
【００２４】
また、他の実施形態として、結合感知手段は、装着部材の一側に形成された突起と、駆動本体に形成されて突起によって作動されるマイクロスイッチからなることもできる。
【００２５】
好ましくは押し棒の一側には投入される材料を切断するカッターが形成されればさらに良い。
【００２６】
他の実施形態として本発明によるジューサー用搾汁モジュールは、内部空間を有し、下部一側には汁排出口が形成され、上部一側には前記内部空間と連通する投入管体が形成され、一側面には滓排出口が形成された搾汁ドラムと、搾汁ドラムの内部に回転可能に取り付けられ、外面にはスクリュー螺旋が形成され、回転する搾汁スクリューと、搾汁ドラムの内部に設けられ、搾汁スクリューを囲むように配置される網ドラムと、を含み、投入管体の側面に材料が投入される投入口と投入口の周囲を支持するホッパーが形成され、ホッパーは投入口の上部から側方向に所定の長さで突出した上部外壁と、投入口の下部から水平方向に上部の外壁より長く形成される床面を含むことを特徴とする。
【発明の効果】
【００２７】
上記技術構成を採択する本発明によれば、投入口を側面に形成することによって搾汁ドラムの内部に手（ｈａｎｄ）が深く入ることを防止して安全事故を予防することができる。
【００２８】
また、本発明は上記のように安全性が向上しながらも投入口の断面積を大きくできるため、材料を細かく切って入れなければならない不便さが除去される。
【００２９】
また、本発明は専用押し棒を利用しなければ作動が不可能であるため、押し棒以外の道具を利用して材料を押し込む時に発生する破損、故障などの事故発生を未然に防止する。
【００３０】
また、本発明は材料を一定の大きさで切断しながら入れることができるため、簡便な効果を提供する。
【図面の簡単な説明】
【００３１】
図１は、従来のジューサーを示す分解斜視図である。
【００３２】
図２は、図１の搾汁モジュールを示すの部分断面図である。
【００３３】
図３は、本発明の一実施形態による蓋と押し棒を示す分解斜視図である。
【００３４】
図４は、従来技術の投入口と本発明の投入口を比較した部分断面図である。
【００３５】
図５は、本発明の他の実施形態による蓋、装着部材および押し棒を示す分解斜視図である。
【００３６】
図６は、図５の押し棒か最上端に位置した締結状態を示す断面図である。
【００３７】
図７は、図５の押し棒か最下端に位置した締結状態を示す断面図である。
【００３８】
図８は、本発明の押し棒にカッターが形成された場合を示す斜視図である。
【００３９】
図９は、本発明のまた他の実施形態による蓋と押し棒を示す斜視図である。
【００４０】
図１０は、図９の蓋と押し棒を示す断面図である。
【００４１】
図１１は、本発明のまた他の実施形態による搾汁モジュールを示す分解斜視図である。
【００４２】
【発明を実施するための形態】
【００４３】
以下、本発明の好ましい実施形態を添付した図面に基づいて詳細に説明し、本発明の要旨を外れる技術構成に関する詳細な説明は省略する。
【００４４】
以下で説明する実施形態は本発明が属する技術分野で通常の知識を有する者が発明を容易に実施できるほど詳細に説明するためであり、これによって本発明の技術思想および範疇が限定されることを意味しない。
【００４５】
また、図面に示す構成要素の大きさや形状などは説明の明瞭性のため、または便宜上一部を誇張して示した。また、本発明の構成および作用を考慮して定義された用語は本発明が属する技術分野において必要に応じて、または慣例により変わり得るため、このような用語は本明細書の全般にわたる内容に基づいて定義されなければならない。
【００４６】
図６および図７に示すように、本発明によるジューサー用搾汁モジュールは、駆動本体１００に結合されるものであって、搾汁ドラム２００、蓋３００、搾汁スクリュー４００および網ドラム５００を含んでなる。
【００４７】
駆動本体１００は、搾汁スクリュー４００に回転駆動力を提供するために内部には例えば通常の駆動力発生手段である駆動モーター（図示せず）が備えられる。駆動モーターは搾汁スクリュー４００を低速で回転させる駆動力を提供する構成要素として、上部に突出した駆動軸を備え、この駆動軸が搾汁スクリュー４００の下部に連結される。
【００４８】
搾汁ドラム２００は駆動本体１００に取り付けられるが、上面が開放されており、内部には搾汁スクリュー４００と網ドラム５００が収容される。
【００４９】
搾汁ドラム２００の下端には汁排出口２１０と滓排出口（図示せず）がそれぞれ離隔して形成される。
【００５０】
搾汁スクリュー４００は、前記搾汁ドラム２００の内部に回転可能に取り付けられ、外面にスクリュー螺旋が形成され、下部には前記駆動軸に駆動連結される動力連結部が形成される。
【００５１】
網ドラム５００は前記搾汁ドラム２００内に設けられ、外面は汁が通過する網孔を有する網構造物からなる。
【００５２】
以下、図３ないし図８を参照して本発明を詳細に説明する。
【００５３】
まず、図３と図５を参照すると、蓋３００は搾汁ドラム２００の上面を覆うように形成されるベース３１０と、前記ベース３１０の上部で上向に突出形成され、その内部に通路が形成されてベース３１０を貫通する投入管体３６０が形成される。この投入管体３６０は搾汁ドラム２００の内部に材料が投入される通路を提供する。
【００５４】
ベース３１０は回転によって搾汁ドラム２００と結合および分離できるように円形に形成された方が良いが、これに限定されない。またベース３１０の下部の外周縁には等間隔で複数の掛り段差部を形成し、これに対応するように搾汁ドラム２００の上端には前記掛り段差部に結合される掛り凸部が形成されて相互回転させて結合されたりまたは分離される。
【００５５】
前記投入管体３６０の側面には搾汁材料が投入される投入口３８０が形成されるようにして投入管体３６０の内部と連通させる。つまり、本発明の投入口３８０は投入管体３６０の側面に形成される。この投入口３８０は材料が投入される孔として、投入管体３６０の側面一部を開放させて形成される。図面に示している例では投入口３６０が概ね四角形状である場合を例示しているが、これに限定されず、必要に応じて多様な形状に形成され得ることは勿論である。また、投入口３６０の大きさも必要に応じて多様に形成できるであろう。
【００５６】
投入管体３６０の外側周囲には投入口３８０を囲みながらその周囲を支持するホッパー３３０が形成される。ホッパー３３０を形成することにより材料が投入される時に周囲にこぼれない。ホッパー３３０は投入口３８０の周囲を囲む外壁３３２と、投入口３８０の下部に概ね水平に長く連結して形成される床面３３４を含んで構成される。好ましくは外壁３３２と床面３３４は一体に形成される。また床面３３４は材料の投入効率を向上させるために投入口３８０を向かって若干下向傾斜して形成すれば良い。
【００５７】
一方、投入管体３６０の上端には押し棒７００を入れるように挿入口３６２が形成され、この挿入口３６２は投入管体３６０の内部の通路と連通される。
【００５８】
また図３に示すように、押し棒７００の昇降作動をより正確に誘導することができ、手が入らないように投入管体３６０の挿入口３６２には安全のためにガイド突起３６６が形成される。このガイド突起３６６は投入管体３６０の挿入口３６２の内周面に形成され、さらに好ましくは挿入口３６２の入口側の内周面に形成される。ガイド突起３６６は例えば内周面に１つ以上配置されるが、手が深く入らないようにその個数、突出の高さ、突出の長さなどを調節して形成する。
【００５９】
挿入口３６２に挿入される押し棒７００には前記ガイド突起３６６が収容されるようにガイド溝７６０が外周面に縦方向に形成される。
【００６０】
図５に示すように、本発明は投入管体３６０の外側に結合される装着部材６００を含んでなる。一例として、装着部材６００により離脱が防止される押し棒７００が投入管体３６０の上端の挿入口３６２に挿入される。より詳細な説明は後述する。
【００６１】
前記装着部材６００は投入管体３６０の外周面に密着するようにその断面が投入管体３６０の断面と対応する形状として、例えば概ね半円形または半楕円形からなる。またその上部、下部は開口されており、一側面が縦方向に切開される。また、装着部材６００の側面には側面開口部６１０が形成され、上部、下部にはそれぞれ一定の弾性を有する結合具６５０と挟持具６２０が形成される。
【００６２】
前記結合具６５０と挟持具６２０は弾性を有するように側面開口部６１０の一側に突出した弧形からなり、投入管体３６０の外周面に密着して装着部材６００を支持する。
【００６３】
押し棒７００は前記投入管体３６０の上部に形成された挿入口３６２を介して挿入されて昇降しながら材料を押す役割を果たすものであり、装着部材６００とペア（ｐａｉｒ）を成す。
【００６４】
押し棒７００は把持が容易であるように上端に円板形状の取っ手７４０が形成され、取っ手７４０は挿入口３６２の直径より大きく形成されることが好ましい。
【００６５】
一方、本発明は前記装着部材６００から押し棒７００が不意に離脱しないように脱去防止手段を備える。脱去防止手段は一例として、環突起６５２と段差７２０からなる。前記環突起６５２は前記結合具６５０の上端で装着部材６００の内側へ向かうように突出形成され、前記段差７２０は前記環突起６５２にかかるように押し棒７００の外周面一部に形成される。この時、段差７２０が押し棒７００の下部に形成されると、押し棒７００の昇降幅を最大に確保することができる。
【００６６】
したがって、押し棒７００が最大の高さまで上昇すると段差７２０が環突起６５２にかかり、これ以上上昇できないように遮断することにより離脱を防止することができる。
【００６７】
一方本発明は前記装着部材６００が結合された搾汁ドラム２００が駆動本体に取り付けられる場合、駆動本体１００のモータ（図示せず）に駆動可能状態となるように信号を発生する結合感知手段が備えられる。結合感知手段は安全装置の役割を果たすものであって、押し棒７００が結合された装着部材６００が蓋３００に結合され、蓋３００が締結された搾汁ドラム２００が駆動本体に正しく取り付けられた状態であるかどうかを感知し、モータが駆動可能状態となるようにする。したがって、逆に専用押し棒７００が結合されない場合、モータは駆動しないようにする。
【００６８】
結合感知手段は一例として、信号を発生する磁性体Ｒと発生した信号を感知する感知センサーＳからなる。磁性体Ｒは前記装着部材６００の一側に形成され、感知センサーＳは前記駆動本体１００に形成される。磁性体Ｒの磁力範囲は近距離に制限されるように設定されることが好ましく、感知センサーと近接してこそ感知される程度に磁力範囲を制限した方が良い。
【００６９】
磁性体Ｒが感知センサーＳに近接した状態になると、装着部材６００および押し棒７００が投入管体３６０に正しく結合された状態で蓋３００が搾汁ドラム２００と正確に結合された状態になり、同時に搾汁ドラム２００が駆動本体に正しく取り付けられた状態になる。
【００７０】
他の実施形態として、結合感知手段は突起（図示せず）とマイクロスイッチ（図示せず）からなる。例えば前記突起を装着部材６００の一側に形成し、前記マイクロスイッチを駆動本体１００に形成する。これにより装着部材６００が結合されると突起がマイクロスイッチを押すようになり、駆動可能な状態に転換され得る。
【００７１】
上記構成によれば、本発明はの側面投入方式を採択したので、使用者の手が搾汁ドラム２００の内部に入ることを防止することができる。すなわち、図４の（ａ）に示すように従来は投入口が垂直に形成されていたので使用者の手が、特に子供の手が搾汁ドラムの内部まで十分に深く入ることができるため、安全事故が発生する恐れがあった。しかし、本発明は図４の（ｂ）に示すように側面投入方式を採択したので、使用者の手が屈折した通路を通らなければならないため、関節が曲がるしかないので、投入口に深く手が入ることを防止することができ、怪我をする心配はなくなる。特に投入管体の投入口の周囲に形成されたホッパーの上部の外壁が多く突出されるほど投入管体の内部への挿入が難しくなる。
【００７２】
このように構成された本発明の作動関係について説明する。
【００７３】
まず、図３に示す実施形態の作動関係について説明する。
【００７４】
まず、搾汁スクリュー４００と網ドラム５００を搾汁ドラム２００に結合させる。またその搾汁ドラム２００を駆動本体１００に取り付け、蓋３００と搾汁ドラム２００を締結する。搾汁スクリュー４００、網ドラム５００および蓋３００すべてを搾汁ドラム２００に結合した後、この搾汁ドラム２００を駆動本体１００に取り付けても良い。また押し棒７００のガイド溝７６０を投入管体３６０のガイド突起３６６と結合させながら押し棒７００を投入管体３６０に嵌め込む。この状態で駆動本体１００を稼動させると、搾汁スクリュー４００が回転して搾汁準備段階となる。
【００７５】
その後、投入口３８０を介して搾汁材料を入れながら押し棒７００を上、下に繰り返して押すと投入された材料が搾汁ドラム２００の内部に円滑に挿入される。この時、押し棒７００を下に押す時には若干力を加えて投入された材料を搾汁ドラム２００の内部に押し込む。
【００７６】
上記のように投入された材料は搾汁スクリュー４００の回転により圧搾されながら滓が分離された汁が汁排出口を介して排出されて使用者が飲用できるようになる。
【００７７】
図３の実施形態では、ガイド突起３６６とガイド溝７６０により押し棒７００の乗降が正確に案内される効果があり、ガイド突起３６６が形成されているため、押し棒７００がなくても使用者の手が挿入口３６２を介して入ることを防止することができる。
【００７８】
【００７９】
次に、図５ないし図７を参照して本発明の他の実施形態による作動関係について説明する。
【００８０】
搾汁スクリュー４００、網ドラム５００、蓋３００および搾汁ドラム２００間の相互結合関係は図３の実施形態と大きく変わらない。
【００８１】
押し棒７００を投入管体３６０に嵌め込んだ後、装着部材６００を投入管体３６０に向かって水平方向に若干力を加え、挟持具６２０と結合具６５０の瞬間的な弾性により嵌め込んで取り付けるが、この時、押し棒７００を若干持ち上げて取っ手７４０が取り付けに妨害にならないようにする。取り付けた後には挟持具６２０と結合具６５０の弾性復原力により装着部材６００が投入管体３６０に結合された状態を維持する。このように装着が完了すると、図６に示すように、押し棒７００が投入管体３６０に挿入されているが、段差７２０が環突起６５２にかかるため、装着部材６００を投入管体３６０から脱着させない限り、押し棒７００が投入管体３６０から分離されない。
【００８２】
また、上記のように結合が完了すると磁性体Ｒが感知センサーＳに近接するようになり、感知センサーＳが磁性体Ｒの磁力を感知して駆動本体１００が作動可能な状態となる。図面に示していないが、前記実施形態と類似の他の実施形態として、それぞれ磁性体Ｒと感知センサーＳが形成された部位に突起（図示せず）とマイクロスイッチ（図示せず）が備えられると、突起がマイクロスイッチを押すようになる。このような結合感知手段の作動により駆動本体１００のモータには駆動可能状態の信号が提供され、駆動本体１００が作動可能な状態となる。上記のように結合された後、材料を投入して搾汁する作動関係は図３の実施形態と同様である。
【００８３】
本実施形態では押し棒７００、装着部材６００および搾汁ドラム２００が結合された状態でのみ搾汁が可能である。したがって、使用者が投入口を介して材料を手で入れる必要はなく、押し棒７００の代わりに他の物体を利用して材料を押すことはできないので、破損、故障の危険を予防することができる。
【００８４】
一方、図８に示すように、長さが長い材料を適当な大きさで切断しながら投入させるために押し棒７００にカッター７８０を形成すれば良い。カッター７８０に対応する刃（ｂｌａｄｅ）などを投入口３８０の内側面の周囲に形成しても良い。
【００８５】
押し棒７００を上、下に昇降させながら一定の長さの間隔で材料を投入すると、それに対等に一定の大きさに材料が切断されながら投入される。したがって、材料がうまく投入されなかったり滞積する現象は発生しなくなる。
【００８６】
図９ないし図１０は本発明の他の実施形態による蓋を示すものであり、材料投入口が投入管体３６０の最上部に形成されたことを除くと前述した実施形態と大きく変わらない。このようにすることにより、安全事故の発生をさらに防止することができる。
【００８７】
蓋３００は搾汁ドラム２００の上面を覆うように形成されるベース３１０と、前記ベース３１０の上部で上向に突出形成され、その内部に通路が形成されてベース３１０を貫通する投入管体３６０が形成され、投入管体３６０の上面には押し棒７００が挿入できる挿入口３６２が備えられる。押し棒７００の下端には挿入口３６２の内径と接する凸部７８０が備えられ、押し棒７００が最上端まで上げられ、押し棒７００の下端が挿入口３６２に至った時、凸部７８０が挿入口３６２に締り嵌められ、臨時的に位置を固定することができる。投入管体３６０の内径は挿入口３６２の内径より大きく備えられる。
【００８８】
ここで前記投入管体３６０の側面には搾汁材料が投入される投入口３８０が形成されるようにして投入管体３６０の内部と連通させる。この投入口３８０は材料が投入される孔として、投入管体３６０の側面一部を開放させて形成される。この時ベース３１０の床面から投入口までの距離ａは一般の成人の指の長さ程度以上になるようにすることが好ましく、さらに好ましくは１００ｍｍ以上になるようにする。また投入口３８０の上下の幅ｂは、一般の成人の手の平の厚さ以下になるようにすることが好ましく、さらに好ましくは４５ｍｍ以下になるようにする。また投入口３８０の横幅ｄは、６０〜１００ｍｍ程度になるようにすることが好ましい。また投入管体３６０の短縮内径ｅは４０ｍｍ以下にして投入口を介して手が挿入された時、屈折された狭い通路により内部に深く挿入されないようにすることが好ましい。ここで投入管体３６０の外側の周囲には投入口３８０を囲みながらその周囲を支持するホッパー３３０が形成される。ホッパー３３０を形成することにより材料が投入される時、周囲にこぼさない。ホッパー３３０は投入口３８０の周囲を囲む外壁３３２と、投入口３８０の上端で突出する上部外壁３３３と、投入口３８０の下部に概ね水平に長く連結されて形成される床面３３４を含んで構成される。好ましくは外壁３３２と床面３３４は一体に形成される。また床面３３４は材料の投入効率を向上させるために投入口３８０に向かって若干下向傾斜して形成されれば良い。ここで上部外壁３３３は投入管体３６０の外面から突出される長さｃは概ね２０〜４０ｍｍからなることが好ましい。
【００８９】
しかし、これに限定されず、投入口の横幅、上下幅、ベースの床面から投入口までの距離、上部外壁の突出の長さ、投入管体の内径などは投入口に手が入った時、指または手首が折れるようになり、指先がベース床面に至らないように必要に応じて多様な形状と数値で形成され得ることは勿論である。
【００９０】
一方、投入管体３６０の上端には押し棒７００を入れるように挿入口３６２が形成され、この挿入口３６２は投入管体３６０の内部の通路と連通される。
【００９１】
また図３に示すように、押し棒７００の昇降作動をより正確に誘導することができ、手が入らないように投入管体３６０の挿入口３６２には安全のためにガイド突起３６６が形成される。このガイド突起３６６は投入管体３６０の挿入口３６２の内周面に形成され、さらに好ましくは挿入口３６２の入口側の内周面に形成される。ガイド突起３６６は例えば内周面に１つ以上配置されるが、手が深く入らないようにその個数、突出の高さ、突出の長さなどを調節して形成する。
【００９２】
挿入口３６２に挿入される押し棒７００には前記ガイド突起３６６が収容されるようにガイド溝７６０が外周面に縦方向に形成され得る。
【００９３】
一方図１１は本発明の他の実施形態によるジューサー用搾汁モジュールを示す図である。図１１の実施形態は水平型ジューサーである点を除くと前述した実施形態と大きく変わらない。つまり、図１１はスクリューが水平方向に組み立てられる水平方向の組立形ジューサーに取り付けられる搾汁モジュールを示すものであり、ジューサー用搾汁モジュールは搾汁ドラム２００、搾汁スクリュー４００、網ドラム５００を含む。
【００９４】
搾汁ドラム２００は円筒形シリンダー形態で内部空間を形成し、一側下部には汁を排出する汁排出口２１０が形成される。また搾汁ドラム２００一側面には貫通した溝を備える搾汁ドラム蓋２２４と調節キャップ２２２が結合されて滓排出口２２０が形成される。
【００９５】
搾汁スクリュー４００は搾汁ドラム２００の内部に回転可能に水平に結合され、外面には多数のスクリュー螺旋が形成されて材料を移送・粉砕する機能を遂行する。
【００９６】
網ドラム５００は搾汁ドラム２００の内部に水平に結合され、中空の円錘形からなり、搾汁スクリュー４００の周りを囲むように設けられる。
【００９７】
搾汁スクリュー４００により移送される材料が網ドラム５００との作用により粉砕、搾汁されて発生する汁は汁排出口２１０に排出され、搾汁された材料は滓排出口２２０を介して排出される。
【００９８】
このような搾汁ドラム２００の一側上部には内部空間と連通する長方形断面を備える管形状の投入管体３６０が突出形成される。
【００９９】
ここで前記投入管体３６０の側面には搾汁する材料が投入される投入口３８０が形成されるようにして投入管体３６０の内部と連通させる。この投入口３８０は材料が投入される孔として、投入管体３６０の側面一部を開放させて形成される。この時、投入管体３６０の床面から投入口までの距離は一般的な成人の指の長さ程度以上になるようにすることが好ましく、さらに好ましくは１００ｍｍ以上になるようにする。また投入口３８０の開放された上下幅は一般的な成人の手の平の厚さ以下になるようにすることが好ましく、さらに好ましくは４５ｍｍ以下になるようにする。また、投入口３８０の開放された長方形の横幅は６０〜１００ｍｍ程度になるようにすることが好ましい。また投入管体３６０の短縮内径は４０ｍｍ以下になるようにして投入口を介して手が挿入された時に屈折した狭い通路により内部に深く挿入できないようにすることが好ましい。ここで投入管体３６０の外側の周囲には投入口３８０を囲みながらその周囲を支持するホッパー３３０が形成される。ホッパー３３０を形成することにより材料が投入される時、周囲にこぼさない。ホッパー３３０は投入口３８０の周囲を囲む外壁３３２と、投入口３８０の上端で突出される上部外壁３３３と、投入口３８０の下部に概ね水平に長く連結されて形成される床面３３４を含んで構成される。好ましくは外壁３３２と床面３３４は一体に形成される。また、床面３３４は材料の投入効率を向上させるために投入口３８０に向かって若干下向傾斜して形成されれば良い。ここで上部外壁３３３は投入管体３６０の外面から突出される長さは概ね２０〜４０ｍｍからなることが好ましい（図９ないし図１０参照）。
【０１００】
しかし、これに限定されず、投入口の横幅、上下幅、投入管体の床面から投入口までの距離、上部外壁の突出の長さ、投入管体の内径などは投入口に手が入った時、指または手首が折れて指先が搾汁スクリューに至らないように必要に応じて多様な形状と数値で形成され得るのは勿論である。
【０１０１】
また、投入管体３６０の上面には押し棒７００が挿入され得る挿入口３６２が備えられる。押し棒７００の下端には挿入口３６２の内径と接する凸部７８０が備えられ、押し棒７００が最上端まで上がり押し棒７００の下端が挿入口３６２に至った時、凸部７８０が挿入口３６２に締り嵌められ臨時的に位置を固定することができる。投入管体３６０の内径は挿入口３６２の内径より大きく備えられる。
【０１０２】
以上本発明の好ましい実施形態について説明したが、本発明の要旨と範囲から外れない範囲で多様な修正および変形が可能であることは当業者であれば容易に認識できるであろう。前述した内容は制限することよりむしろ例証として見なされ、理解しようとすることに目的がある。相応する全てのものを含む例、変更および修正も全て特許請求の範囲に属すると言えるであろう。
【符号の説明】
【０１０３】
１００  駆動本体
２００  搾汁ドラム
２１０  汁排出口
２２０  滓排出口
２２２  調節キャップ
２２４  搾汁ドラム蓋
３００  蓋
３１０  ベース
３３０  ホッパー
３３２  外壁
３３３  上部外壁
３３４  床面
３６０  投入管体
３６２  挿入口
３６６  ガイド突起
３８０  投入口
４００  搾汁スクリュー
５００  網ドラム
６００  装着部材
６１０  側面開口部
６２０  挟持具
６５０  結合具
６５２  環突起
７００  押し棒
７２０  段差
７４０  取っ手
７６０  ガイド溝
７８０  凸部
【産業上の利用可能性】
【０１０４】
本発明による一実施形態はジューサーの搾汁モジュールとして用いることができる。
【図１】
2017522096.tif 000003
【図２】
2017522096.tif 000004
【図３】
2017522096.tif 000005
【図４】
2017522096.tif 000006
【図５】
2017522096.tif 000007
【図６】
2017522096.tif 000008
【図７】
2017522096.tif 000009
【図８】
2017522096.tif 000010
【図９】
2017522096.tif 000011
【図１０】
2017522096.tif 000012
【図１１】
2017522096.tif 000013
【国際調査報告】
2017522096.tif 000014
2017522096.tif 000015
2017522096.tif 000016
2017522096.tif 000017